(57)【要約】【課題】安価で簡易な構造により、マッサージ椅子やベッド等のマッサージ機に内装されたメカ部分の稼働騒音を防止するようにしたマッサージ機における騒音防止機構を提供する。【解決手段】マッサージ機本体１両側に内装配備された一対のガイドレール２１・２１に沿って施療子６１を有するメカ部６が移動走行し得るようメカ部６左右で可回転に装備された少なくとも上下一対の回転輪を各ガイドレール２１・２１に係合保持させたマッサージ機において、メカ部６と各ガイドレール２１・２１との間に各々傾斜状に介在する弾性回転体７を設けて、メカ部６の移動時における稼働騒音を弾性回転体７で吸収させるよう構成したものである。【選択図】図３
2004283382.tif 000002
【特許請求の範囲】
【請求項１】
マッサージ機本体両側に内装配備された一対のガイドレールに沿って施療子を有するメカ部が移動走行し得るようメカ部左右で可回転に装備された少なくとも上下一対の回転輪を各ガイドレールに係合保持させたマッサージ機において、メカ部と各ガイドレールとの間に各々傾斜状に介在する弾性回転体を設けて構成する事を特徴とするマッサージ機における騒音防止機構。
【請求項２】
前記弾性回転体が各ガイドレールに少なくとも２以上配設される事を特徴とする請求項１記載のマッサージ機における騒音防止機構。
【発明の詳細な説明】
【０００１】
【産業上の利用分野】
本発明は、例えばマッサージ椅子やベッド等のマッサージ機に内装されたメカ部分の稼働騒音を防止するようにしたマッサージ機における騒音防止機構に関するものである。
【０００２】
【従来の技術】
従来より、マッサージ機に係るものとしては多種多様なものがあるが、殆どのマッサージ機は、椅子式またはベッド式にしたものが主流であり、このマッサージ椅子やベッド本体に往復移動可能なメカ部を内装して、メカ部に設けられた施療子により、揉みマッサージや叩きマッサージの他、ローリングマッサージや振動マッサージを行わせるようしている。
【０００３】
従来技術としては、特開２００１−２９９８５２号の特許文献がある。その構成について図１１に基づいて図説するが、椅子型マッサージ機の背凭れ部内部に、マッサージ器７と左右一対の支持レール９を有するフレーム１０とが設けられており、前記マッサージ器７の支持体１２に、左右一対の各支持レール９に対応するように左右に対をなす回転輪１７，１８，１９が、レール方向（上下方向）に対応して３組ずつ設けられ、左右一対の支持レール９間に、マッサージ器７が３組の対をなす回転輪１７，１８，１９を介して上下移動自在に支持されている。
【０００４】
前記対をなす回転輪１７，１９には弾性体３５が組み込まれ、該弾性体３５が一対の支持レール９の離間方向内方に圧縮されて、対をなす回転輪１７，１９が、一対の支持レール９に対してその離間方向外方に向けて圧接されている。また、前記レール方向に対応する複数の回転輪１７，１８，１９のうちの少なくとも一方の回転輪１８に、弾性体４２が組み込まれ、該弾性体４２が支持レール９に直交する方向に圧縮されて、前記レール方向に対応する複数の回転輪１７，１８，１９のうちの一方の回転輪１８と他方の回転輪１７，１９とが、支持レール９に対して、レールに直交する方向において互いに逆方向に圧接されている。それで前記回転輪１７，１９及び前記回転輪１８に組み込まれている夫々の前記弾性体３５と弾性体４２が、該回転輪１７，１９及び前記回転輪１８の前記支持レール９に対するガタ付きや稼働騒音を抑止する役割を果たしている。
【特許文献】
特開２００１−２９９８５２号公報（第４頁右欄、図１）
【０００５】
【発明が解決しようとする課題】
ところで、上記従来技術を代表する発明では、マッサージ機に内装されたメカ部分のガタ付きや稼働騒音を防止するのに効果を期待することはできるが、上記のような騒音防止のための弾性体を製造過程にて、複数の回転輪に対してその内部に夫々組み込まなければならず、しかも上記のような回転輪であるならば複数の弾性体の成形型が必要となり、それだけ製造過程における経費や、コストが増高する問題、また長期使用による弾性体の劣化におけるメンテナンスや交換の複雑さという課題があげられる。
【０００６】
そこで、本発明は上記問題点を解消する為に成されたものであり、安価で簡易な構造により、マッサージ椅子やベッド等のマッサージ機に内装されたメカ部分の稼働騒音を防止するようにしたマッサージ機における騒音防止機構を提供する事を目的とする。
【０００７】
【課題を解決するための手段】
すなわち、本発明のマッサージ機における騒音防止機構は、マッサージ機本体両側に内装配備された一対のガイドレールに沿って施療子を有するメカ部が移動走行し得るようメカ部左右で可回転に装備された少なくとも上下一対の回転輪を各ガイドレールに係合保持させたマッサージ機において、メカ部と各ガイドレールとの間に各々傾斜状に介在する弾性回転体を設けて構成する事を特徴とするものである。
【０００８】
また、本発明のマッサージ機における騒音防止機構は、マッサージ機本体両側に内装配備された一対のガイドレールに沿って施療子を有するメカ部が移動走行し得るようメカ部左右で可回転に装備された少なくとも上下一対の回転輪を各ガイドレールに係合保持させたマッサージ機において、メカ部と各ガイドレールとの間に各々傾斜状に介在する弾性回転体が各ガイドレール内で各々２以上配設される事を特徴とするものである。
【０００９】
本発明のマッサージ機における騒音防止機構は、上記のように構成することにより次のような作用をもたらす。
すなわち、本発明のマッサージ機における騒音防止機構は、マッサージ機本体両側に内装配備された一対のガイドレールに沿って施療子を有するメカ部が移動走行し得るようメカ部左右で可回転に装備された少なくとも上下一対の回転輪を各ガイドレールに係合保持させたマッサージ機において、メカ部と各ガイドレールとの間に各々傾斜状に介在する弾性回転体を設けている為、施療子を有するメカ部をその移動方向に対して垂直方向と幅方向へのガイドレール内の溝に対して押さえる力を均等に付勢しつつスムースに移動することができる。
【００１０】
また、本発明のマッサージ機における騒音防止機構は、メカ部と各ガイドレールとの間に各々傾斜状に介在する弾性回転体が、各ガイドレール内で各々２以上配設されている為、該メカ部の上下移動に伴い該弾性体が何れの方向へもスムースに摺動移動できる。
【００１１】
【発明の実施の形態】
以下に、本発明のマッサージ機における騒音防止機構を、図面に示す一実施形態に基づきこれを詳細に説明する。
図１は本発明のマッサージ機における騒音防止機構を配備した一実施形態であるマッサージ機本体の斜視図であり、図２は本発明のマッサージ機における騒音防止機構を配備したマッサージ機本体の一実施形態である使用状態図であり、図３と図４は本発明のマッサージ機における騒音防止機構を配備したマッサージ機本体の背凭れ部にあるメカ部に関する一実施形態の説明図であり、図５〜図１０は本発明のマッサージ機における騒音防止機構の一実施形態である弾性回転体に関する説明図であり、図１１は従来技術である。
【００１２】
すなわち、本発明のマッサージ機における騒音防止機構は、例えば図１の実施形態で示すマッサージ機に配備することができる。このマッサージ機本体１は、背凭れ部２と座部３と、該座部３左右両側に配備される肘掛け部４と、該座部３前方に出没自在に配備される足載せ部５とで構成されており、図２で示すように使用者が着座してマッサージ施療を受けることができるものである。
【００１３】
而して図３と図４で図示するように、該背凭れ部２の内部左右両側には夫々ガイドレール２１・２１が互いに開口側が対向するよう固設されており、両ガイドレール２１・２１に施療子６１を有するメカ部６を保持して、これを図４に示す如く上下方向に移動走行し得るように構成している。
【００１４】
更に前記メカ部６両側に、これを保持して移動走行し得るよう、支持軸６２にて回転自在に軸設している回転輪６３が、左右夫々２つずつ対になって前記両ガイドレール２１にて回転自在に設けられている。
【００１５】
また、前記メカ部６を移動させる手段としては限定されないが、例えば前記背凭れ部２の上下方向に設けられ可逆モータで回転する螺軸の回転により、前記メカ部６に固設され該螺軸と螺合する非回転ナットを移動させることで、該メカ部６が連動する。
【００１６】
また、前記メカ部６を移動させる別の手段としては、前記ガイドレール２１に固設されたラックに、前記メカ部６に設けられた可逆モータにて回転するピニオンが噛合して、その回転にて前記メカ部６を移動させるラックとピニオンとの噛合構造、更には流体圧シリンダ等を用いた昇降駆動構造等を用いたものに置換することも可能である。
【００１７】
尚、上記メカ部６は、施療モータ６４により、前記一対の施療子６１に揉みマッサージや叩きマッサージの他、振動マッサージ等を行わせるようにしたものであり、その構成については言及されるものではなく、任意の構成が採用される。
【００１８】
而して、本発明のマッサージ機にける騒音防止機構として、上記実施例で示したマッサージ機等に利用されるものであり、前記メカ部６と両ガイドレール２１との間に夫々図５及び図６の一実施例で示す弾性回転体７を設けている。
【００１９】
該弾性回転体７は図６に図示するように、アーム７１の至端部７１２に設けられた軸孔７１１に貫入したボルト７２と、該ボルト７２に外嵌する二つのベアリングカップ７３・７３と、複数のベアリングボール７４を介して前記二つのベアリングカップ７３・７３と回転自在の関係にある弾性部材７５１を嵌着したリム７５２から成る弾性輪７５を設けると共に、前記ボルト７２の先端にて平ナット７７と太ナット７８とで適した力で締め付けて構成するものである。
【００２０】
前記平ナット７７は前記ベアリングカップ７３・７３とリム７５２とでベアリングボール７４を押さえつける力を調整するためのものであり、その調整後前記太ナット７８で締め付けて、前記弾性輪７５の回転抵抗を適宜調整して安定した回転を得られるようにすることができる。
【００２１】
尚、前記弾性部材７５１は、軟質樹脂材やゴム材、発泡樹脂等の弾性を有する素材で形成されるものである。
【００２２】
前記弾性回転体７は図７に示すように、前記ガイドレール２１の開口側に設けられた、回転輪受け部２１１内部にて転動自在に設けている。
【００２３】
また、該回転輪受け部２１１に挿入された前記回転輪６３が該回転輪受け部２１１内壁にある転接下面２１１ａにて転接自在となっている。
【００２４】
前記弾性回転体７の基端部７１３と前記メカ部６の側面とは、ビス６５とナット６６で固着されており、前記メカ部６の移動方向に対して前記回転輪受け部２１１の垂直方向と幅方向に押さえる力を分散して均等に付勢することができるよう、前記弾性輪７５の弾性部材７５１が、前記転接下面２１１ａの対向面である転接上面２１１ｂ及びそれらに対し立面である転接立面２１１ｃとに圧接するように配設される。
【００２５】
すなわち、前記弾性輪７５の回転方向が前記メカ部６の移動方向に対し垂直方向を基にして前記メカ部６の幅方向外側に向かって斜め略々４５度傾斜するように、前記アーム７１はその基端部７１３に対して、その至端部７１２との傾斜差異が略々４５度となるよう曲げられて形成している。
【００２６】
尚、前記弾性部材７５１の転動による摩耗による部品交換やメンテナンス等は、前記ビス６５とナット６６を外し、前記弾性回転体７をガイドレール２１内の溝から取り出して簡単に行うことができる。
【００２７】
前記回転輪６３が前記転接面２１１ａを回転すると共に前記メカ部６が移動する際には、前記弾性回転体７は前記転接上面２１１ｂと転接立面２１１ｃの二つの面を圧接しながら転動し、その圧接力を前記メカ部６の移動方向に対する垂直方向Ｆ１と幅方向Ｆ２に分散して前記メカ部６と前記両ガイドレール２１との間で生じる稼働騒音を防止することができるのである。
【００２８】
尚、前記弾性回転体７は、図８のように前記一対のガイドレール２１・２１の夫々に対し一対の前記回転輪６３間に複数設けたり、図９のように単数設けたりすることも考えられ、また図１０に示したように、各一対の前記回転輪６３の外側において設けたりする事もでき、これらの弾性回転体７の採用数やその配置において限定される事はない。
【００２９】
【発明の効果】
以上のように、本発明のマッサージ機における騒音防止機構は、マッサージ機本体両側に内装配備された一対のガイドレールに沿って施療子を有するメカ部が移動走行し得るようメカ部左右で可回転に装備された少なくとも上下一対の回転輪を各ガイドレールに係合保持させたマッサージ機において、メカ部と各ガイドレールとの間に各々傾斜状に介在する弾性回転体を設けている為、施療子を有するメカ部をその移動方向に対して垂直方向と幅方向に分散してガイドレール内の溝にて押さえる力を付勢しつつスムースに移動することができ、揉みマッサージや叩きマッサージの他、振動マッサージ等を行ったりする場合でも、メカ部分とガイドレールとの間で生じるガタツキ音等の不快な騒音を防止する事ができる。
【００３０】
よって、本発明のマッサージ機における騒音防止機構は、マッサージ機の寿命を延命させる事ができると共に、使用者に対して静穏性のある快適なマッサージ機をより安価で提供でき、しかも長期使用による弾性回転体の劣化におけるメンテナンスや交換の簡便さも伴う有益なものである。
【図面の簡単な説明】
【図１】本発明のマッサージ機における騒音防止機構を配備した一実施形態であるマッサージ機本体の斜視図である。
【図２】本発明のマッサージ機における騒音防止機構を配備したマッサージ機本体の一実施形態である使用状態図である。
【図３】本発明のマッサージ機における騒音防止機構を配備したマッサージ機本体の背凭れ部にあるメカ部やガイドレールの一実施形態の説明図である。
【図４】本発明のマッサージ機における騒音防止機構を配備したマッサージ機本体の背凭れ部にあるメカ部の移動を表す一実施形態の説明図である。
【図５】本発明のマッサージ機における騒音防止機構の一実施形態である弾性回転体の斜視図である。
【図６】本発明のマッサージ機における騒音防止機構の一実施形態である弾性回転体の説明図である。
【図７】本発明のマッサージ機における騒音防止機構の弾性回転体とガイドレールと回転輪の配置状態を示す一実施形態の説明図である。
【図８】本発明のマッサージ機における騒音防止機構の弾性回転体を、各ガイドレールを転動する一対の回転輪の内側に複数設けた一実施形態の説明図である。
【図９】本発明のマッサージ機における騒音防止機構の弾性回転体を、各ガイドレールを転動する一対の回転輪の内側に設けた一実施形態の説明図である。
【図１０】本発明のマッサージ機における騒音防止機構の弾性回転体を、各ガイドレールを転動する一対の回転輪の外側に複数設けた一実施形態の説明図である。
【図１１】マッサージ機における騒音防止機構に関する従来技術である。
【符号の説明】
１    マッサージ機本体
２    背凭れ部
２１    ガイドレール
６    メカ部
６１    施療子
７    弾性回転体
【図１】
2004283382.tif 000003
【図２】
2004283382.tif 000004
【図３】
2004283382.tif 000005
【図４】
2004283382.tif 000006
【図５】
2004283382.tif 000007
【図６】
2004283382.tif 000008
【図７】
2004283382.tif 000009
【図８】
2004283382.tif 000010
【図９】
2004283382.tif 000011
【図１０】
2004283382.tif 000012
【図１１】
2004283382.tif 000013